(57)【要約】      （修正有）【課題】電池の大小や接点位置の制限を受けず、各種電池の接点に随意に接続させることができ、接続の抜け落ちや接触不良を発生しにくい、電池接続用プラグ装置の提供。【解決手段】プラグ装置Cが刃部C1、表示装置C2、導電ワイヤC3及び磁石C4から構成され、プラグ装置Cの一端に刃部C1が設置され、この刃部C1がコンセントに挿入されてプラグ装置Cに電力が供給され、充電機能を発生させることができ、プラグ装置Cの他端に導電ワイヤC3が設置され、且つ電力がこの導電ワイヤC3から磁石C4へと伝導されると共に、導電ワイヤC3と磁石C4が相互に接続され、磁石C4は強力な吸着機能を有し、任意の一般的な充電電池の正極と負極に対し、電池の形状、大小、充電接点の位置及び距離の違いによる影響を受けず、充電を行うことができる。【選択図】図３
0003127311.tif 000002
【実用新案登録請求の範囲】
【請求項１】
導電ワイヤ及び磁石を含んで成るプラグ装置であって、そのうち、前記導電ワイヤを電池の正極、負極及び各電池の電気接点に接続するとき、前記磁石が導通インターフェイスとして用いられ、前記磁石は強力な吸着機能と導電機能を有し、前記磁性を有する磁石は任意に移動可能であり、電池の形状、大小及び接点の位置と距離の違いによる影響を受けず、前記プラグ装置に多方位にわたる導通接続機能を形成することを特徴とする電池接続用プラグ装置。      
【請求項２】
前記磁石が接続される電気接点がさらに、充電装置、放電装置及び電池の電圧、電流、内部抵抗その他関連する特性を計測する装置とすることができる、請求項１に記載の電池接続用プラグ装置。
【請求項３】
前記プラグ装置がさらに表示装置を備え、前記表示装置はLED、LCD、電球、スピーカー、電圧計、電流計、抵抗計、映像及びその他関連する装置とすることができる請求項１に記載の電池接続用プラグ装置。      
【請求項４】
前記導電ワイヤが必要に応じて任意の数量を増設でき、複数組の磁石で同時に導通接続を行う機能を提供する請求項１に記載の電池接続用プラグ装置。
【請求項５】
前記プラグ装置が、車載用充電プラグ、USBコネクタ及びその他関連する電源供給機能を備えたプラグとすることができる請求項１に記載の電池接続用プラグ装置。      
【請求項６】
前記磁石が前記導電ワイヤの一端に設置可能である請求項１に記載の電池接続用プラグ装置。
【請求項７】
前記磁石が電池の正極、負極及び電気接点上に設置可能である請求項１に記載の電池接続用プラグ装置。      
【考案の詳細な説明】
【技術分野】
【０００１】
本考案は電池接続用プラグ装置の構造に関し、詳細には、そのプラグ装置の一端に変化を加え、導電ワイヤを電池の正極・負極と各電池の電気接点に接続するとき、磁石を導通インターフェイスとして用い、前記磁石は強力な吸着機能を備えているため、これにより前記導電ワイヤと前記電池の正極・負極及び各電池の電気接点間の接続の脱け落ち或いは接触不良を防止するものであり、また磁性を有する前記磁石は任意に移動でき、電池の形状や大小、接点の位置及び距離の違いによる影響を受けず、前記プラグ装置に多方位にわたる導通接続機能を形成する、電池接続用プラグ装置の構造に関する。
【背景技術】
【０００２】
図１及び図２に示すように、一般的に充電電池A1、B1は従来の充電器A、Bを具備しており、充電電池A1、B1に充電が必要な場合、製造元が提供する充電器A、Bを使用して充電を行わなければならないが、市場で販売されている電池の形状及び大小は異なり、充電接点A2、B2の位置及び距離も異なるため、他のメーカーの充電器では代用できず、また、このため前記充電器A、Bが故障或いは遺失した場合は、製造元から購入するか修理を委託しなければならないが、当該機種がすでに生産停止になっている場合には対応する充電器A、Bを購入することができないこともあり、その場合充電電池A1、B1と機器は使用できなくなり廃棄するしかなくなるため、使用者にとっては非常に不便かつ無駄となってしまう。
【０００３】
従って、上記術の欠点を如何に排除するかが、本考案の解決する技術的問題の所在である。
【考案の開示】
【考案が解決しようとする課題】
【０００４】
本考案の目的は、電池の大小や接点位置の制限を受けず、各種電池の接点に随意に接続させることができ、接続の抜け落ちや接触不良を発生しにくい、電池接続用プラグ装置の構造を提供することにある。
【課題を解決するための手段】
【０００５】
以下、本考案について図面、符号及び実施例に基づき、詳細に説明する。本考案の電池接続用プラグ装置の構造は、図３に示すように、そのプラグ装置Cが刃部C1、表示装置C2、導電ワイヤC3及び磁石C4から構成され、そのうち、プラグ装置Cの一端に前記刃部C1が設置され、この刃部C1がコンセントに挿入されてプラグ装置Cに電力が供給され、充電機能を発生させることができ、前記プラグ装置Cの他端に前記導電ワイヤC3が設置され、且つ電力がこの導電ワイヤC3から磁石C4へと伝導されると共に、前記導電ワイヤC3と磁石C4が相互に接続され、前記磁石C4は強力な吸着機能を有し、任意の一般的な充電電池の正極と負極に対し、電池の形状、大小、充電接点の位置及び距離の違いによる影響を受けず、充電を行うことができ、使用者の必要に応じてこの磁性を有する磁石C4を電池の各部位に吸着させることが可能であり、またその充電過程においては表示装置C2により充電、放電及び飽和の異なる状態を表示することができ、このプラグ装置Cの進歩性及び実用性を向上することができる。        
【考案の効果】
【０００６】
本考案のその進歩性並びに実用性を更に明確にするため、以下、従来技術との比較分析を行う。
《従来技術の欠点》
１．プラグ装置はそのメーカー、型番の充電電池における使用に限られ、1つの充電器を共用することはできない。
２．プラグ装置を遺失した場合、再購入しなければならない。
３．充電電池と充電器は長期使用されることにより、接点弾性片が弾性疲労を起こし、接触不良が容易に発生する。
《本考案の利点》
１．各種電池の接点に随意に吸着させることができ、脱落や接触不良が発生しにくい。
２．電池の大小及び接点位置の制限を受けず、多種電池で1つの充電器或いはテスター等の共用ができる。
３．振動に遭遇した場合、接点と磁石間が直ちに相互吸着し、優れた接触能力を有する。
４．使用者の購入経費を節約することができる。
５．進歩性と実用性がある。
６．産業的競争力を向上させる。        
【考案を実施するための最良の形態】
【０００７】
本考案の実施方法による電池接続用プラグ装置の構造は、図４及び図５に示すように、そのうちプラグ装置Cの一端に刃部C1が設置され、前記刃部C1をコンセントに挿入するとプラグ装置Cに電力が供給され、且つ電力は導電ワイヤC3に伝導され、前記導電ワイヤC3の一端に強力な吸着及び導電の機能を有する磁石C4が設置され、前記磁石C4は充電電池D、Eの接点D1、E1に接続され、充電過程においては、表示装置C2によりプラグ装置Cの充電、放電及び飽和に合わせ、各種信号を表示することができる。
【０００８】
図６に示すように、磁石C4の強力な磁性を利用して充電電池Fの正極と負極に吸着させることで、一般の充電電池Fに対して充電を行うことができ、使用者の必要に応じて充電したい各種形状の充電電池Fに任意に吸着させることができる。
【０００９】
図７に示すように、前記刃部C1(図３を参照)を車載用充電プラグGに変更すれば、この車載用充電プラグGを自動車上の電源ソケットに接続して、プラグ装置Cに電力を供給し使用することもでき、使用者の自動車上での必要時に備えることができる。
【００１０】
以上の説明は本考案の最良の実施例に基づくものであり、これによって本考案の特許範囲が制限されることはない。従って、本考案の明細書及び図面の内容を運用した同等効果の構造を、直接的或いは間接的にその他関連技術分野に運用する場合、全て同じ原理で本考案の要旨の範囲内に含まれるものとすることをここで述べておく。
【００１１】
上述のように、本考案は従来技術の構造を打ち破り、増進を図る効果を確実に達成し、且つ、関連技術を熟知した者が容易に思い付くものではなく、また、本考案はその出願前に公開されたことがなく、その具備する進歩性、実用性は実用新案登録の出願要件を満たしているため、法に基づきここに実用新案登録の出願を提出するものである。
【図面の簡単な説明】
【００１２】
【図１】従来技術による充電器用プラグの立体図である。
【図２】従来技術による別の充電器用プラグの立体図である。
【図３】本考案のプラグ装置の立体図である。
【図４】本考案の実施例図１である。
【図５】本考案の実施例図２である。
【図６】本考案の実施例図３である。
【図７】本考案の実施例図４である。
【符号の説明】
【００１３】
A、B  充電器
A1、B1、D、E、F  充電電池
C  プラグ装置
C1  刃部
C2  表示装置
C3  導電ワイヤ
C4  磁石
A2、B2、D1、E2  接点
G  車載用充電プラグ
【図１】
0003127311.tif 000003
【図２】
0003127311.tif 000004
【図３】
0003127311.tif 000005
【図４】
0003127311.tif 000006
【図５】
0003127311.tif 000007
【図６】
0003127311.tif 000008
【図７】
0003127311.tif 000009